(57)【要約】【課題】保守管理が楽で、設備コストも低廉にして、結露を防止するＩＨクッキングヒータ用のレンジフードを提供する。【解決手段】下面を開放する薄型のフード本体１のその開放部を凹状の係脱可能なフードカバー４で閉塞して汚染空気Ｃの捕獲空間Ｓを形成し、加熱調理で発生する汚染空気Ｃに含まれる湯気が付着するフードカバー４を直に加熱するように白熱球Ｂや白熱灯をレンジフードＡの所要位置に設置し、該白熱球Ｂや白熱灯からの輻射熱による熱エネルギーの伝播でそのフードカバー４を結露しないように加熱乾燥する。【選択図】図１
2005241130.tif 000002
【特許請求の範囲】
【請求項１】
加熱調理で発生する汚染空気に含まれる湯気が付着するレンジフード構成部材を直に加熱するように発熱量が多い電球または電灯をレンジフードの所要位置に設置し、該電球または電灯からの輻射熱による熱エネルギーの伝播で加熱してそのレンジフード構成部材の結露発生を防止することを特徴とするＩＨクッキングヒータ用レンジフード。
【請求項２】
下面を開放して汚染空気の捕獲空間を確保する薄型のフード本体外に排気手段を設置し、該フード本体内部に前記排気手段への吸込口部材を設け、発熱量が多い電球または電灯を、フード本体を直に加熱するようにフード本体の所要箇所に設置して、その電球または電灯からの輻射熱による熱エネルギーの伝播でフード本体を結露しないように加熱することを特徴とするＩＨクッキングヒータ用レンジフード。
【請求項３】
下面を開放する薄型のフード本体のその開放部を凹状の係脱可能なフードカバーで閉塞して汚染空気の捕獲空間を形成し、該フードカバーにフード本体外に設置した排気手段への吸込口部材を設け、発熱量が多い電球または電灯を、前記フードカバーを直に加熱するようにフードカバー背後空間に設置して、その電球または電灯からの輻射熱による熱エネルギーの伝播でフードカバーを結露しないように加熱することを特徴とするＩＨクッキングヒータ用レンジフード。
【請求項４】
前記フードカバーの下縁との間に吸込用空間を確保して整流板を備え、発熱量が多い電球または電灯を、整流板を直に加熱するように整流板の所要箇所にも設置して、その電球または電灯からの輻射熱による熱エネルギーの伝播で整流板を結露しないように加熱することを特徴とする請求項３記載のＩＨクッキングヒータ用レンジフード。
【請求項５】
前記整流板を内部中空状に形成し、発熱量が多い電球または電灯を、整流板を直に加熱するように整流板内の所要箇所に設置して、その電球または電灯からの輻射熱による熱エネルギーの伝播で整流板を結露しないように加熱することを特徴とする請求項４記載のＩＨクッキングヒータ用レンジフード。
【請求項６】
下面を開放する薄型のフード本体のその開放部を凹状の係脱可能なフードカバーで閉塞して汚染空気の捕獲空間を形成し、該フードカバーにフード本体外に設置した排気手段への吸込口部材を設け、前記フードカバーの下縁との間に吸込用空間を確保して整流板を備え、前記整流板を内部中空状に形成すると共に、その整流板内とフードカバー背後空間とを連通し、発熱量が多い電球または電灯を、整流板、フードカバーを直に加熱するように整流板内またはフードカバー背後空間内の所要箇所に設置して、その電球または電灯からの輻射熱による熱エネルギーの伝播で整流板、フードカバーを結露しないように加熱することを特徴とするＩＨクッキングヒータ用レンジフード。
【請求項７】
前記吸込口部材と排気手段とを吸気ダクトで接続して、吸気ダクト回りのフードカバーの背後空間にフード本体との間に加熱用チャンバーを形成し、該加熱用チャンバーの所要箇所に前記発熱量が多い電球または電灯を設置していることを特徴とする請求項６記載のＩＨクッキングヒータ用レンジフード。
【請求項８】
前記電球または電灯はフードカバーを外して行うメンテナンス時、内部清掃時等の照明として使用されることを特徴とする請求項３〜５いずれか１項記載のＩＨクッキングヒータ用レンジフード。
【請求項９】
前記電球または電灯はフードカバーを外して行うメンテナンス時、内部清掃時等の照明として使用されることを特徴とする請求項６または７いずれか１項記載のＩＨクッキングヒータ用レンジフード。
【発明の詳細な説明】
【技術分野】
【０００１】
本発明は、燃焼ガスを発生しないＩＨクッキングヒータからの汚染空気を吸い込んで排気するＩＨクッキングヒータ用のレンジフードに関するものである。
【背景技術】
【０００２】
従来、ＩＨクッキングヒータ用のレンジフードは、開放部を有するフード本体の背部から平面視コの字状の誘動流吹き出し管を高さ調節可能に垂設することによって、その誘動流吹き出し管から誘動流を上方に吹き出して、その誘動流で上昇気流を生じない汚染空気をフード本体内に誘動し、尚且つフード本体内を結露が生じない雰囲気にするものが知られている（例えば特許文献１）。
また、ＩＨクッキングヒータ用のレンジフードには、フード本体の内面にシートヒータや導電性の発熱塗料等の発熱装置を粘着、塗装して、その発熱でフード本体を加熱して、フード本体内を結露が生じないようにするものも知られている（例えば特許文献２）。
【０００３】
ところで、ガス器具は、調理する鍋等からの湯気と共に燃焼ガスを発生させ、その燃焼ガスの熱で湯気の湿度を低下させると共にフード本体内面やフィルタを含むのその上流側の部材を暖め、電気コンロは、上昇気流の熱で同様にフード本体内面やフィルタを含むその上流側の部材を暖める。
それ故、調理中に結露を生じることはない。
しかしながら、前記するＩＨクッキングヒータでは、燃焼ガスや上昇気流を伴わないことから、調理時に発生する湯気がフード本体内面やフィルタを含むその上流側の部材に付着して、結露し、調理中に滴下して、ヒータ、調理容器、更には調理中の料理をも汚す現状がある。
このような現実下のために、特許文献１ではフード本体の背部から高さ調節可能な平面視コの字状の誘動流吹き出し管から誘動流を上方に吹き出して、その誘動流でフード本体内を結露が生じないようにしている。
しかしながら、このような構成のＩＨクッキングヒータ用のレンジフードでは加熱調理時に発生する汚染空気を効果的に誘動するために誘動流吹き出し管を出きるだけ下方に位置させた状態で使用される。
そのため、その誘動流が上昇に伴ってフード本体外に拡散されてしまい、結露防止に好適なものとは言い難いものであった。
また、特許文献２のようなシートヒータや導電性の発熱塗料の場合、火災の原因になるばりでなく、その温度制御と共に故障時の交換が厄介で、コスト高にもなってしまう。
【０００４】
また、今日、欧米スタイルを取り入れた様々なキッチンレイアウトが提案されており、それに調和するデザイン性を重視したシステムキッチンが多く登場している。これらのシステムキッチンに組み込まれるレンジフードにもこれらにマッチするデザイン性を考慮したものが望まれており、最近では調理により発生した汚染空気の捕獲に最も影響を及ぼすフード本体部分を非常に薄型にしたスリムタイプのレンジフードが切望されている。
そしてＩＨクッキングヒータは、燃焼ガスや上昇気流を発生させないことから、敢えて深い捕獲空間を設けずとも浅い捕獲空間でも汚染空気を捕獲することができるので、その要望に合致するし、浅い捕獲空間を有し、外部に排気手段を設置した薄型（スリム）なレンジフードにあっては、デザインの自由度が拡大し、顧客のニーズに応じる自在性を持たせることが可能となる。
現実的には、深い捕獲空間を必要とするレンジフードや排気装置をフード本体内に設置するＩＨクッキングヒータ用のレンジフードが提供されており、フード本体として斬新なデザインが実施できないという問題を惹き起こすばかりでなく、無粋にもなっている。
【特許文献１】特開２００２−１６８４９６号公報
【特許文献２】特開２００２−１６８４９５号公報
【発明の開示】
【発明が解決しようとする課題】
【０００５】
本発明が上記従来事情に鑑みてなされたものでは、その目的とする処は、保守管理が楽で、設備コストも低廉にして、結露を防止するＩＨクッキングヒータ用のレンジフードを提供することにある。
他の目的とする処は、スリムなＩＨクッキングヒータ用のレンジフードを提供することにある。
【課題を解決するための手段】
【０００６】
前記課題を解決するために講じた技術的手段は、加熱調理で発生する汚染空気に含まれる湯気が付着するレンジフード構成部材を直に加熱するように発熱量が多い電球または電灯をレンジフードの所要位置に設置し、該電球または電灯からの輻射熱による熱エネルギーの伝播で加熱してそのレンジフード構成部材の結露発生を防止することを特徴とするＩＨクッキングヒータ用レンジフードである（請求項１）。
ここで、レンジフードは、平型レンジフード、ブーツ型レンジフード、オープンキッチン用レンジフード、アイランド型レンジフード等の種々のタイプを包含するものである。
そして、湯気が付着するレンジフード構成部材は、レンジフードの形態によって各々異なる。即ち、レンジフードにおける排気手段の吸込方向にクロスする配置関係になっている汚染空気の突き当り面が主たる湯気の付着面である。例えばブーツ型であれば、前板やフィルタを抜差し可能に支持する仕切板がその付着面に相当し、平型レンジフードにあっては、その下面部が付着面に相当する。
そして、発熱量が多い電球または電灯とは、白熱発光するもの、その一例して、白熱電球（電灯）、クリプトン球、ハロゲン球、レフ球、ビーム球等を挙げることができる。
【０００７】
以上の手段によれば、発熱量が多い電球または電灯で湯気が付着するレンジフード構成部材の直加熱と輻射熱による熱エネルギーの伝播とでそのレンジフード構成部材を結露しないように加熱する。
【０００８】
そして、下面を開放して汚染空気の捕獲空間を確保する薄型のフード本体外に排気手段を設置し、該フード本体内部に前記排気手段への吸込口部材を設け、発熱量が多い電球または電灯を、フード本体を直に加熱するようにフード本体の所要箇所に設置して、その電球または電灯からの輻射熱による熱エネルギーの伝播でフード本体を結露しないように加熱するようにしても良いものである（請求項２）。
この請求項２は、フード本体を、下面を開放した薄型扁平状に形成する一方、排気手段をそのフード本体外に設置し、フード本体に排気手段への吸込口部材（フィルタや、排気手段が視野に入らないように目隠し板（格子枠や比較的大きなスリットを複数有する板等））を設けて、構成している。
このレンジフードは、敢えて深い捕獲空間を設けずとも浅い捕獲空間で汚染空気を捕獲することができるそのニーズに合致する。
そのフード本体には汚染空気に含まれる湯気が付着し、結露して滴下する虞れがある。
これをフード本体の所要箇所に設置した発熱量が多い電球または電灯による直加熱とその輻射熱による熱エネルギーの伝播とでフード本体を結露しないように加熱する。
【０００９】
そして、下面を開放する薄型のフード本体のその開放部を凹状の係脱可能なフードカバーで閉塞して汚染空気の捕獲空間を形成し、該フードカバーにフード本体外に設置した排気手段への吸込口部材を設け、発熱量が多い電球または電灯を、前記フードカバーを直に加熱するようにフードカバー背後空間に設置して、その電球または電灯からの輻射熱による熱エネルギーの伝播でフードカバーを結露しないように加熱するようにしても良いものである（請求項３）。
この請求項３は、請求項２のようにフード本体そのものを汚染空気の捕獲空間としたものではなく、清掃性向上のためにフード本体を凹状のフードカバーで開閉可能に閉塞する一方、排気手段をフード本体外に設置したレンジフードである。
フードカバーは側周面と底面とのコーナーを比較的曲率が大きな円弧面で連設されて、清掃性を向上させている。
そのため、フードカバーには、汚染空気に含まれる湯気が付着し、結露して滴下する虞れがある。
これをフードカバー背後空間に設置した場所を取らない発熱量が多い電球または電灯によるフードカバーの直加熱と、その輻射熱による熱エネルギーの伝播とで防止する。
【００１０】
そして、前記フードカバーの下縁との間に吸込用空間を確保して整流板を備え、発熱量が多い電球または電灯を、整流板を直に加熱するように整流板の所要箇所にも設置して、その電球または電灯からの輻射熱による熱エネルギーの伝播で整流板を結露しないように加熱するようにしても良いものである（請求項４）。
この請求項４は、前記請求項３記載のフードカバー周囲に幅狭な吸込用空間を確保して、その吸込用空間から加熱調理で発生する汚染空気を流速を速めて吸い込むように構成して、汚染空気の外部への放散を阻止するレンジフードである。
このレンジフードでは、前記するフードカバーと共に、整流板に汚染空気に含まれる湯気が付着し、結露して滴下する虞れがある。
これを、整流板の所要箇所に設置した発熱量が多い電球または電灯で直に加熱して、その直加熱と、その輻射熱による熱エネルギーの伝播とで防止する。
【００１１】
そして、前記整流板を内部中空状に形成し、発熱量が多い電球または電灯を、整流板を直に加熱するように整流板内の所要箇所に設置して、その電球または電灯からの輻射熱による熱エネルギーの伝播で整流板を結露しないように加熱しても勿論良いものである（請求項５）。
この請求項５は、中空構造の整流板を内から直に加熱して、整流板全体を一様にムラ無く加熱乾燥するようにしている。
【００１２】
また、下面を開放する薄型のフード本体のその開放部を凹状の係脱可能なフードカバーで閉塞して汚染空気の捕獲空間を形成し、該フードカバーにフード本体外に設置した排気手段への吸込口部材を設け、前記フードカバーの下縁との間に吸込用空間を確保して整流板を備え、前記整流板を内部中空状に形成すると共に、その整流板内とフードカバー背後空間とを連通し、発熱量が多い電球または電灯を、整流板、フードカバーを直に加熱するように整流板内またはフードカバー背後空間内の所要箇所に設置して、その電球または電灯からの輻射熱による熱エネルギーの伝播で整流板、フードカバーを結露しないように加熱する場合も好ましいものである（請求項６）。
即ち、フードカバー、整流板の双方を一様にムラ無く、加熱するようにしている。
【００１３】
また、前記吸込口部材と排気手段とを吸気ダクトで接続して、吸気ダクト回りのフードカバーの背後空間にフード本体との間に加熱用チャンバーを形成し、該加熱用チャンバーの所要箇所に前記発熱量が多い電球または電灯を設置していると、好適なものであり（請求項７）、また、電球または電灯はフードカバーを外して行うメンテナンス時、内部照明時の照明として有効利用するのが好適なものである（請求項８、９）。
【００１４】
前記各請求項において、発熱量が多い電球または電灯は、結露が発生し易い箇所に散在して複数設置しても良いものであるし、最も結露が生じやすい箇所に設置してその周囲をも効果的に加熱して結露の発生を効率よく防止するようにしても良いものである。
【発明の効果】
【００１５】
本発明は以上のように構成したから、下記の利点がある。
（請求項１）発熱量が多い電球または電灯を加熱源として使用して、湯気が付着するレンジフード構成部材を直に加熱するその直加熱と、その輻射熱による熱エネルギーの伝播とで加熱して結露を防止する、構造簡単、保守管理及び交換容易で火災の心配のない廉価な、ＩＨクッキングヒータ用レンジフードを提供することができる。
【００１６】
（請求項２）しかも、下面を開放した薄型扁平状を呈するフード本体で汚染空気の捕獲空間を構成しているスリムなレンジフードのその捕獲空間を構成するフード本体の結露を、保守管理及び交換が容易で火災の心配のない廉価な、発熱量が多い電球または電灯で防止することができる。
【００１７】
（請求項３）その上、発熱量が多い電球、電灯は小形であって場所を占有しないので、フードカバーとフード本体との間の背後空間が狭いものであっても、支障なくその加熱手段を設置して結露を防止でき、汚染空気の捕獲性能と清掃性とを阻害せずに結露をも防止する薄型なレンジフードを提供することができる。
【００１８】
（請求項４）また、そのフードカバーとの間に流速を速めて汚染空気を吸込む吸込用空間を形成する整流板を配置して、汚染空気の外部拡散を極力阻止するレンジフードにおいても、その整流板での結露を防止することができる。
【００１９】
（請求項５）しかも、その整流板を内部中空にして、その整流板内に発熱量が多い電球または電灯を設置しているので、整流板内の空気が輻射熱で加熱されて、整流板全体がムラ無く加熱乾燥されるようになり、電球、電灯を内部に設置するだけで整流板の結露を防止できる。
【００２０】
（請求項６）その電球または電灯で整流板の結露とフードカバーの結露とを一挙に防止することができる。
【００２１】
（請求項７）また、フードカバー底の吸込口部材と排気手段とを吸気ダクトで接続して、フード本体内においてその吸気ダクト回りに確保されている加熱用チャンバーの所要箇所に発熱量が多い電球または電灯を設置した構成であるから、フードカバーを直加熱するその輻射熱が吸気ダクトをも輻射熱で加熱し、吸気ダクト内での結露をも防止することができる。
【００２２】
（請求項８、９）しかも、フード本体の開放部をフードカバーで係脱可能に閉塞して清掃性を向上させたレンジフードにおいて、そのフードカバーを加熱乾燥する電球または電灯が、フードカバーを外した後の内部上方空間を明るく照らすので、例えば排気手段を清掃したり、電装品類をチェックする時に手元を照らし、その作業性を大幅に向上することができる。
【発明を実施するための最良の形態】
【００２３】
次に本発明ＩＨクッキングヒータ用レンジフードの実施の形態数例について説明すると、図１、図２、図３、図４は各々第１、第２、第３、第４の実施の形態を示している。
【実施例１】
【００２４】
図１に示す第１の実施の形態について説明すると、符号ＡはそのＩＨクッキングヒータ用のレンジフードである。尚、各実施の形態では薄幅なタイプのレンジフードを示している。
このレンジフードＡは、下面を開放した扁平薄箱状のフード本体１の天板部１１に排気手段２を設置し、その排気手段２を前方から立設された幕板３で隠し、下面開放部に係脱可能なフードカバー４を設けてそのフードカバー４を加熱調理で発生した汚染空気Ｃの捕獲空間（汚染空気捕獲部）Ｓとし、そのフードカバー４の天面部（底面）１４に吸込口２４を開設して吸込口部材５としてフィルタや目隠し部材を係脱可能に備え、吸込口部材５と排気手段２の収容ケース２’とを吸気ダクト２２で接続して、その吸気ダクト２２回りのフードカバー４背後空間に加熱用チャンバー６を囲繞形成している。
【００２５】
前記フードカバー４は、図示するように側周面と底部（天面部）である底面とのコーナーに緩やかなガイド曲面３４を形成し、それに連続して前記吸込口２４を開口し、それにフィルタや目隠し板（排気手段が視野に入らないように目隠し板（格子枠や比較的大きなスリットを複数有する板等）等の吸引口部材５係脱可能に設けている。
【００２６】
前記加熱用チャンバー６には、図に示すようにその前側寄りの位置に発熱量が多い電球Ｂまたは電灯が設置されている。
【００２７】
この発熱量が多い電球Ｂまたは電灯は、本実施の形態では白熱球または白熱灯を使用し、図示するようにその球体、灯体が裸のままで加熱用チャンバー６に露呈するようしてあり、加熱調理で発生する汚染空気Ｃに含まれる湯気が付着するレンジフード構成部材、即ちフードカバー４を直に加熱すると共に、加熱用チャンバー６内の空気を輻射熱で加熱して、フードカバー４全体を結露しないように加熱乾燥するようになっている。
【００２８】
ＩＨクッキングヒータは、レンジフードＡに対して中央ではなく、若干前側の位置に相対して配備されるため、フード本体１の後方側には汚染空気Ｃの流れが少なく、それに比例して湯気の付着量も少ない反面、前側寄りの位置には湯気の付着量が多く、結露して下方に滴下する虞れが高い。
そのため、図示するように前側寄りの加熱用チャンバー６内部位に発熱量が多い電球Ｂまたは電灯を裸のまま設置している。
この電球Ｂまたは電灯は、レンジフード１の作動と同期して点灯・消灯するように制御されるが、レンジフード１作動とは別操作で個別に点灯・消灯するようにしても良いものであるし、図示する位置に限らず、所要位置や他の部位にも設置しても良いものである。
【００２９】
以上のように構成されているＩＨクッキングヒータ用レンジフードＡでは、フードカバー４に汚染空気Ｃが捕獲され、含有される湯気がそのフードカバー４表面に付着するが、発熱量が多いは白熱球Ｂや白熱灯での直加熱及び輻射熱による熱エネルギーのチャンバー６全域、フードカバー４全域への伝播で、フードカバー４を結露しないように加熱乾燥する。
そして、フードカバー４を外して、排気手段２や、加熱用チャンバー６内の設置されている電装品類をメンテナンスする際の明かりとして、前記電球Ｂ、電灯が有効利用される。
【実施例２】
【００３０】
次に図２に示す第２の実施の形態を説明すると、この実施の形態は、下面を開放して汚染空気Ｃの捕獲空間Ｓを確保する薄型のフード本体１外に排気手段２を設置し、そのフード本体１の底部に排気手段２への吸込口部材５を設け、フード本体１自体で汚染空気Ｃの捕獲空間Ｓを形成するレンジフードＡを示している。
【００３１】
吸込口部材５は、排気手段２が下から目立たないようにするための目隠し板を使用し、排気手段２を構成するシロッコファンのケーシング１２内面に形成した凹凸部３２でフィルター機能を持たせ、ケーシング１２下端に連通して係脱可能な受水部７を設けて、その目隠し板を外すことよって、その受水部７が取外せるようになっている。
【００３２】
このレンジフードＡには、フード本体１の天板部１１に排気装置２を挟んで発熱量が多い電球Ｂまたは電灯を一対の設置して、そのレンジフード構成部材であるその天板部１１を直に加熱するようになっている。
電球Ｂまたは電灯は、図２に示すように、下面を開放したランプボックスｂ内に収容されている。
【００３３】
このランプボックスｂはその内面にアルミ箔等の反射板ｂ’を内張して、下面開放部から直に輻射熱をフード本体１の天板部１１に熱エネルギーとして伝播するように構成されている。
【００３４】
他の構成については前記する実施の形態と同様であるため、同一符号を付して、具体的な説明は省略する。
【実施例３】
【００３５】
更に、図３に示す第３の実施の形態を説明すると、この実施の形態は、前記フードカバー４の下縁４縁との間に幅狭な吸込用空間１８を確保するように整流板８を配設して、その吸込用空間１８から汚染空気Ｃをフード本体１外に洩気させずに吸気するレンジフードＡを示している。
【００３６】
そして、その整流板８の所要箇所にも発熱量が多い電球Ｂまたは電灯を設けて、整流板８が結露しないようにしている。
【００３７】
電球Ｂまたは電灯は、前記第２の実施の形態と同様に、下面を開放し内面にアルミ箔を反射板ｂ’として内張したランプボックスｂ内に収容して、下面開放部から直に輻射熱をレンジフード構成面である整流板８の裏面に熱エネルギーとして伝播するようになっている。
他の構成については前記する実施の形態と同様であるため、同一符号を付して、具体的な説明は省略する。
【実施例４】
【００３８】
続いて、図４に示す第４の実施の形態を説明すると、この実施の形態は、前記整流板８を内部中空状に形成すると共に、その整流板８内とフードカバー４の背後空間である加熱用チャンバー６とを連通させたレンジフードＡを示している。
【００３９】
そして、発熱量が多い電球Ｂまたは電灯を、レンジフード構成面である整流板８、フードカバー４を直に加熱するように整流板８内または加熱用チャンバー６内の所要箇所に設置して、その電球Ｂまたは電灯からの輻射熱による熱エネルギーの伝播で整流板８、フードカバー４を結露しないように加熱乾燥している。
他の構成は前記第３の実施の形態と同様であるため、同一符号を付し、具体的な説明は省略する。
【００４０】
尚、前記第３の実施の形態において、整流板８、フードカバー４を電球（発熱量が多い電球）または電灯（発熱量が多い電灯）で各々個別に加熱乾燥するようにしても良いものであるし、整流板８に設けたランプボックスｂの上面を開放して、その開放部から輻射熱がフードカバー４に放射されるように構成して、整流板８に設けた電球Ｂ、電灯でフードカバー４をも加熱乾燥するようにしても良いものである。その場合には、加熱用チャンバー６内の電球（発熱量が多い電球）または電灯（発熱量が多い電灯）は敢えて、必要ではないものである。
【図面の簡単な説明】
【００４１】
【図１】第１の実施の形態の側面図で一部切欠して示す。
【図２】第２の実施の形態の正面図で一部切欠して示す。
【図３】第３の実施の形態の側面図で一部切欠して示す。
【図４】第４の実施の形態の側面図で一部切欠して示す。
【符号の説明】
【００４２】
Ａ：レンジフード                    １：フード本体
Ｂ：発熱量が多い電球または電灯      ６：加熱用チャンバー
２：排気手段                        ５：吸込口部材
４：フードカバー                    Ｓ：捕獲空間
１８：吸込用空間                      ８：整流板
２２：吸気ダクト
【図１】
2005241130.tif 000003
【図２】
2005241130.tif 000004
【図３】
2005241130.tif 000005
【図４】
2005241130.tif 000006